(57)【要約】【課題】差込プラグが固定的に設けられたＡＣアダプタを有するＡＣアダプタ付コードを、簡単且つ適切に収容することができるアダプタコードリールを提供する。【解決手段】差込プラグ６を介して、ＡＣアダプタ２が差込み装着されるアダプタ装着部２０と、ＡＣアダプタ２に接続したコード４が巻回されるリール部３０と、を備え、アダプタ装着部２０は、差込プラグ６を広げる方向または狭める方向に作用して、差込プラグ６を係止するプラグ係止部１５を有している。【選択図】図３
2010073601.tif 000002
【特許請求の範囲】
【請求項１】
差込プラグを介して、ＡＣアダプタが差込み装着されるアダプタ装着部と、
前記ＡＣアダプタに接続したコードが巻回されるリール部と、を備え、
前記アダプタ装着部は、前記差込プラグを広げる方向または狭める方向に作用して、前記差込プラグを係止するプラグ係止部を有していることを特徴とするアダプタコードリール。
【請求項２】
前記プラグ係止部は、差込み装着した前記差込プラグの先端が突出する幅に形成されている一対の板状部材で形成されていることを特徴とする請求項１に記載のアダプタコードリール。
【請求項３】
前記一対の板状部材は、ばね性を有することを特徴とする請求項２に記載のアダプタコードリール。
【請求項４】
前記一対の板状部材には、前記差込プラグの差し込みをガイドするガイド溝が形成されていることを特徴とする請求項２または３に記載のアダプタコードリール。
【請求項５】
前記一対の板状部材には、前記差込プラグの差し込みをガイドする湾曲ガイド部が形成されていることを特徴とする請求項２または３に記載のアダプタコードリール。
【請求項６】
前記プラグ係止部は、一対の板状部材と、前記一対の板状部材間を広げる方向または狭める方向に作用するように設置されたばねと、で構成されていることを特徴とする請求項１に記載のアダプタコードリール。
【請求項７】
前記リール部は、前記コードを係止する１つ以上の切込み係止部を有していることを特徴とする請求項１ないし６のいずれかに記載のアダプタコードリール。
【請求項８】
前記リール部は、前記コードが巻回される巻掛け部と、前記巻掛け部の両側に設けた一対のフランジ部と、を有し、
前記１つ以上の切込み係止部は、前記一対のフランジ部に形成されていることを特徴とする請求項７に記載のアダプタコードリール。
【請求項９】
前記アダプタ装着部は、前記リール部の内側に形成されていることを特徴とする請求項１ないし８のいずれかに記載のアダプタコードリール。
【発明の詳細な説明】
【技術分野】
【０００１】
本発明は、ＡＣアダプタ付きのコードを収容するアダプタコードリールに関するものである。
【背景技術】
【０００２】
従来、コードと共にＡＣアダプタが収容可能である、ＡＣアダプタのコード収容アタッチメント（アダプタコードリール）が提案されている（特許文献１参照）。
この場合、ＡＣアダプタは、アダプタ本体と、使用位置と収容位置との間でアダプタ本体に対し回動自在に設けられた差込プラグとで構成されており、差込プラグを使用位置に回動させておいてアダプタ装着部に差し込み、アダプタ本体にアダプタ装着部を添えるように９０°回動させて装着する。これにより、コードに対して異常なストレスをかけずに、ＡＣアダプタ付コードの保管性や携帯性を高め得るようになっている。
【特許文献１】特許第３９９６５４１号
【発明の開示】
【発明が解決しようとする課題】
【０００３】
このような従来のアダプタコードリールは、アダプタ本体に対し差込プラグが回動自在に取り付けられたＡＣアダプタ付コード専用のものであり、ＡＣアダプタ（アダプタ本体）に対し差込プラグが固定的に設けられたＡＣアダプタ付コードでは、装着不能となってしまう問題があった。また、差込プラグを使用位置に回動させておいてアダプタ装着部に差し込む必要があり、且つ差込プラグを差込んだ後、アダプタ本体を回動させる必要があるため、ＡＣアダプタの装着作業が煩雑になる問題があった。
【０００４】
本発明は、差込プラグが固定的に設けられたＡＣアダプタを有するＡＣアダプタ付コードを、簡単且つ適切に収容することができるアダプタコードリールを提供することを課題とする。
【課題を解決するための手段】
【０００５】
本発明のアダプタコードリールは、差込プラグを介して、ＡＣアダプタが差込み装着されるアダプタ装着部と、ＡＣアダプタに接続したコードが巻回されるリール部と、を備え、アダプタ装着部は、差込プラグを広げる方向または狭める方向に作用して、差込プラグを係止するプラグ係止部を有していることを特徴とする。
【０００６】
この構成によれば、差込プラグをプラグ係止部に差し込むことによってＡＣアダプタをアダプタ装着部に装着した後、コードをリール部に巻回することで、ＡＣアダプタ付コードが収容される。すなわち、差込プラグを差し込むだけで、ＡＣアダプタをアダプタ装着部に装着することができる。したがって、差込プラグが固定的に設けられたＡＣアダプタを有するＡＣアダプタ付コードを、簡単且つ適切に収容することができる。
【０００７】
この場合、プラグ係止部は、差込み装着した前記差込プラグの先端が突出する幅に形成されている一対の板状部材で形成されていることが好ましい。
【０００８】
この構成によれば、差込プラグに対し、一対の板状部材から離脱する向きに力が作用することがなく、差込プラグがプラグ係止部から離脱して、ＡＣアダプタがアダプタコードリールからずれたり離脱したりすることを防止することができる。
【０００９】
この場合、一対の板状部材は、ばね性を有することが好ましい。
【００１０】
この構成によれば、ばね性を有する一対の板状部材が、差し込まれた差込プラグを広げる方向または狭める方向に作用して、差込プラグが係止される。これにより、極めて簡単な構造で、ＡＣアダプタがアダプタコードリールからずれたり離脱したりすることを防ぐことができる。
【００１１】
また、一対の板状部材には、差込プラグの差し込みをガイドするガイド溝が形成されていることが好ましい。
【００１２】
同様に、一対の板状部材には、差込プラグの差し込みをガイドするための湾曲ガイド部が形成されていることが好ましい。
【００１３】
これらの構成によれば、一対の板状部材に対し差込プラグを差し込んで行くと、差込プラグがガイド溝又は湾曲ガイド部に落ち込むように装着をガイドされる。また、装着した差込プラグは、ガイド溝又は湾曲ガイド部により位置決めされる。このため、ＡＣアダプタの装着を安定して行うことができると共に、差込プラグの装着位置がずれることがなく、ＡＣアダプタを安定した状態で装着しておくことができる。
【００１４】
また、プラグ係止部は、一対の板状部材と、一対の板状部材間を広げる方向または狭める方向に作用するように設置されたばねと、で構成されていることが好ましい。
【００１５】
この構成によれば、一対の板状部材に差込プラグを差し込んで行くと、差込プラグを広げる方向または狭める方向にばねが作用して、差込プラグが位置決めされる。このため、ＡＣアダプタの装着を安定して行うことができると共に、差込プラグの装着位置がずれることがなく、ＡＣアダプタを安定した状態で装着しておくことができる。
【００１６】
一方、リール部は、コードが巻回される巻掛け部と、巻掛け部の両側に設けた一対のフランジ部と、を有し、１つ以上の切込み係止部は、一対のフランジ部に形成されていることが好ましい。
【００１７】
リール部に巻回したコードの端部を切込み係止部に係止することで、コードを巻回状態に保持することができる。また、コードの一部をリール部に巻回し、コードの前後２箇所を切込み係止部に係止しておけば、コードを必要な長さだけ引き出した状態で、ＡＣアダプタ付コードを使用することができる。なお、切込み係止部は、一方のフランジ部にのみ設けてもよいし、両方のフランジ部に設けるようにしてもよい。
【００１８】
また、アダプタ装着部は、リール部の内側に形成されていることが好ましい。
【００１９】
この構成によれば、ＡＣアダプタをアダプタ装着部に添えるように装着することができると共に、コードに巻き癖が付かないようにリール部を径の大きなものとすることができ、ＡＣアダプタ付コードの収容作業を簡単且つ迅速に行なうことができる。
【発明を実施するための最良の形態】
【００２０】
以下、添付の図面を参照して、本発明のアダプタコードリール１０について説明する。このアダプタコードリール１０は、ＡＣアダプタ２の差込プラグ６を活用して、携帯や保管のために、ＡＣアダプタ付コード１をコンパクトに収容するものである。以下、説明をわかり易くすべく、先ずＡＣアダプタ付コード１について説明する。
【００２１】
図１に示すように、ＡＣアダプタ付コード１は、商用電源（コンセント）に接続されるＡＣアダプタ２と、機器に接続されるコネクタ３と、ＡＣアダプタ２とコネクタ３とを接続するコード４と、で構成されている。ＡＣアダプタ２は、内部に電源トランスと整流回路（いずれも図示省略）を収容したＡＣアダプタ本体７と、ＡＣアダプタ本体７の正面側に固定的に突設され、コンセントに接続するための差込プラグ６とで構成されている。
【００２２】
図２および図３を参照して、本発明の第１実施形態に係るアダプタコードリール１０について説明する。
アダプタコードリール１０は、ＡＣアダプタ２が装着されるアダプタ装着部２０と、アダプタ装着部２０の周囲に配設され、コード４が巻回されるリール部３０と、で樹脂により一体に形成されている。ＡＣアダプタ付コード１は、リール部３０の内側に設けた開口部１１に組み込まれたアダプタ装着部２０に、側方からＡＣアダプタ２を装着した後、リール部３０にコード４を巻回して、アダプタコードリール１０に収容される。
【００２３】
図２に示すように、リール部３０は、ＡＣアダプタ２より一回り大きく且つＡＣアダプタ２の形状に合わせて略方形に形成されており、ばね性を有する一対のフランジ部１６と、フランジ部１６間に形成されるコード４が巻回される巻掛け部１７とによって構成されている。一対のフランジ部１６と巻掛け部１７とは、連続した断面「Ｕ」字状の環状溝を為すように一体に形成されると共に、その内側に上記の開口部１１を形成している。リール部３０の下辺に相当する部分における一対のフランジ部１６の一方の外縁上に、コード４の端部（ＡＣアダプタ本体側端部およびコネクタ側端部のいずれか）をはめ込んで係止するために２の切込み係止部３１が形成されている。また、巻掛け部１７には、コード４を容易に巻回させるために溝を設けてもよい（図示省略）。
【００２４】
アダプタ装着部２０は、リール部３０の内側に設けた開口部１１に組み込まれており、開口部１１の上下略中間位置に開口部１１を横断するように渡した隔板１２と、隔板１２と開口部１１の天面１３との間に渡した一対の板状部材１４からなるプラグ係止部１５とで構成されている。隔板１２は、リール部３０の厚み方向の寸法と合致する幅を有し、一対の板状部材１４はこれより短い幅に形成され、いずれもリール部３０と一体に形成されている。一対の板状部材１４は、ＡＣアダプタ２の差込プラグ６を係止する部分であり、それぞればね性を有すると共に相互に平行に配設されている。
【００２５】
さらに、各板状部材１４の内側には、差込プラグ６を差し込むためのガイド溝２１が形成されている。ガイド溝２１は、差込プラグ６の抜差し方向に延在しており、差込プラグ６（差込み片）の幅より僅かに広幅に形成されている。差込プラグ６を、一対の板状部材１４間に差し込んで行くと、差込プラグ６はガイド溝２１に落ち込んで装着をガイドされる（図３（ａ））。装着した差込プラグ６は、ガイド溝２１により位置決めされ、両方の板状部材１４を広げるようにしてこれに係止される（図３（ｂ））。
【００２６】
なお、本実施形態のプラグ係止部１５は、差込プラグ６が一対の板状部材１４の内側に位置して広げる係止形態となっているが、一対の板状部材１４の外側に位置して、両方の板状部材１４間を狭める形態であってもよい。かかる場合には、上記のガイド溝２１を一対の板状部材１４の外側にそれぞれ形成する。もっとも、一対の板状部材１４間に差込プラグ６を差し込んでゆくと、一対の板状部材１４は微妙に湾曲し且つ差込プラグ６（差込み片）の平坦面との擦れ合いで、自動的に適正姿勢が維持されるため、一対の板状部材１４に、必ずしもガイド溝２１を形成しなくてもよい。
【００２７】
次に、図３を参照して、ＡＣアダプタ付コード１の収容方法について簡単に説明する。
先ず、ＡＣアダプタ２は、その差込プラグ６をアダプタコードリール１０の一対の板状部材１４の内側に挿入し、両方の板状部材１４間を広げるようにして係止することにより、アダプタ装着部２０に装着される（図３（ｂ））。すなわち、ＡＣアダプタ２は、その差込プラグ６を一対の板状部材１４間（ガイド溝２１間）に嵌入するようにし、僅かに湾曲した一対の板状部材１４によりアダプタ装着部２０に装着される。ここで、図３（ｃ）で示すように、一対の板状部材１４は、差込装着した差込プラグ６の先端が突出するように、差込プラグ６よりも短い幅に形成されている。これによって、差込プラグ６が、プラグ係止部１５から離脱する向きに力が作用することなく、アダプタコードリール１０とＡＣアダプタ２とが一体化することになる。
【００２８】
次に、ＡＣアダプタ本体７に接続したコード４を、アダプタコードリール１０の巻掛け部１７に巻回させる。コード４の巻回が進んだら、リール部３０の下辺に相当する部分におけるフランジ部１６の外縁上に設けられた切込み係止部３１に、コード４のコネクタ側端部（巻き終わり）をはめ込む。これによって、リール部３０におけるコード４の巻回状態が保持される。このようにして、ＡＣアダプタ付コード１は、アダプタコードリール１０に収容される。
また、ＡＣアダプタ付コード１は、アダプタコードリール１０に収容されたコード４を使用に適した長さだけ引き出し、コード４の両端部（ＡＣアダプタ側端部およびコネクタ側端部）を切込み係止部３１に係止させた状態で、ＡＣアダプタ２を使用することもできる（図４）。
なお、本実施形態では、切込み係止部３１は一方のフランジ部１６にのみ設けられているが、両方のフランジ部１６に設けるようにしてもよい。両方のフランジ部１６に切込み係止部３１を設ける場合、アダプタコードリール１０は表裏の区別なく同様に使用することができる（図示省略）。
【００２９】
次に、図５を参照して、第２実施形態に係るアダプタコードリール１０について説明する。第２実施形態では、上記の第１実施形態と異なる部分について主に説明する（以降の他の実施形態についても同様）。
【００３０】
第２実施形態では、相互に平行に配設されている一対の板状部材１４に、差込プラグ６の差込みをガイドする湾曲ガイド部２２がそれぞれ形成されている。湾曲ガイド部２２は、板状部材１４の一部が外側に湾曲するように形成されている。差し込まれた差込プラグ６は、湾曲ガイド部２２によりその上下中間位置にガイドされる。すなわち、ＡＣアダプタ２は、その差込プラグ６を一対の板状部材１４に嵌入するようにし、一対の板状部材１４に形成された湾曲ガイド部２２により差込プラグ６が位置規制されて、アダプタ装着部２０に装着される。これによって、差込プラグ６の装着位置がずれることを防ぐと共に、ＡＣアダプタ２がアダプタコードリール１０からずれたり離脱したりすることを防ぐことができる。
【００３１】
図６を参照して第３実施形態に係るアダプタコードリール５０について説明する。第３実施形態では、プラグ係止部１５が、隔板１２と開口部１１の天面１３との間に渡した厚肉の一対の板状部材１４と、開口部１１の側板１９と各板状部材１４との間に介設した一対のばね２３と、で構成されている。板状部材１４の四角には、上下方向に突出したガイド突起が形成され、これに対応して隔板１２および開口部１１の天面１３には、２つずつガイド溝２１が形成されている。一対の板状部材１４は、ガイド突起をガイド溝２１に挿入するようにして、隔板１２および天面１３にスライド自在に取り付けられており、一対の板状部材１４が相互に離接方向に微小移動可能に構成されている。一方、一対のばね２３はそれぞれコイルばねで構成され、一対の板状部材１４を狭める方向に付勢している。そして、ＡＣアダプタ２は、その差込プラグ６を一対の板状部材１４間に嵌入するようにし、ばね２３が一対の板状部材１４を狭める方向に作用することによりアダプタ装着部２０に装着される。
【００３２】
なお、本実施形態では、ばね２３は、側板１９と板状部材１４との間に設置されているが、その設置数および設置位置に制限はない。たとえば、一対の板状部材１４を外側から挟持するように差し込まれた場合、一対の板状部材１４間を広げる方向に作用して差込プラグ６を位置規制してもよい。
【００３３】
以上のように、本発明の実施形態によれば、アダプタコードリール１０は、差込プラグ６がＡＣアダプタ２に対して固定的に設けられたＡＣアダプタ付コード１を容易に収容することができる。また、本発明のアダプタコードリール１０は、ＡＣアダプタ不使用時にコード４を収容するだけでなく、ＡＣアダプタ使用時においても、必要なだけのコード４を引き出した状態を保持することができる。
【図面の簡単な説明】
【００３４】
【図１】ＡＣアダプタ付コードの斜視図である。
【図２】第１実施形態に係るアダプタコードリールの斜視図である。
【図３】第１実施形態に係る、（ａ）アダプタコードリールとアダプタ付コードとの装着状態を示す斜視図、（ｂ）アダプタコードリールとアダプタ付コードとの装着状態を示す正面図、（ｃ）アダプタコードリールとアダプタ付コードとの装着状態（ｂ）のＡ−Ａにおける断面図、である。第２実施形態に係るアダプタコードリールの斜視図である。
【図４】ＡＣアダプタがアダプタコードリールに装着された状態で、ＡＣアダプタを使用する場合を示す斜視図である。
【図５】第２実施形態に係るアダプタコードリールの斜視図である。
【図６】第３実施形態に係るアダプタコードリールの斜視図である。
【符号の説明】
【００３５】
６…差込プラグ  １５…プラグ係止部  １６…フランジ部  １７…巻掛け部  ２０…アダプタ装着部  ２１…ガイド溝  ２２…湾曲ガイド部  ２３…ばね  ３０…リール部  ３１…切込み係止部
【図１】
2010073601.tif 000003
【図２】
2010073601.tif 000004
【図３】
2010073601.tif 000005
【図４】
2010073601.tif 000006
【図５】
2010073601.tif 000007
【図６】
2010073601.tif 000008